(57)【特許請求の範囲】
【請求項１】
屋根骨格を基礎に構築される屋根構造であって、
前記屋根骨格は、母屋を少なくとも備え、
前記母屋の屋外側面には、少なくとも一個の断熱パネルが配設されており、
該断熱パネルは、少なくとも一本の垂木と、該垂木と連結される少なくとも一本のころび止めと、前記垂木と前記ころび止めとで形成される空間に配設される少なくとも一個の断熱材と、を少なくとも有して構成され、
前記垂木が、屋外側より前記母屋に取付けられ、
前記断熱パネルの一面側には、平板状の構造面材が配設されており、
前記断熱パネルは、前記構造面材が配設されている側を前記母屋側に向けて配設されるとともに、前記構造面材は、屋外側より前記母屋に留め付けられ、
前記断熱材の一端部と前記ころび止めとの間は当接しておらず、留め付け空間が形成されており、
該留め付け空間底部には、前記構造面材が露出しており、
前記構造面材は、前記留め付け空間の底部において、屋外側より前記母屋に留め付けられていることを特徴とする木造建築物の屋根構造。
【請求項２】
前記構造面材が前記母屋に留め付けられた状態で、前記留め付け空間は、後入れ断熱材が挿入されて閉塞されていることを特徴とする請求項１に記載の木造建築物の屋根構造。
【請求項３】
前記垂木の表裏面方向の距離は前記断熱材の厚さよりも大きくなるよう構成されるとともに、前記ころび止めの表裏面方向の距離は前記断熱材の厚さよりも小さくなるように構成されており、
前記断熱パネルを構成する各部材は、裏面側に面一に揃えられており、
前記垂木の天面にルーフィング部材を配設した際、前記断熱材の天面側と、前記垂木の屋外側の突出部分とで囲まれた空間が、通気空間となることを特徴とする請求項１に記載の木造建築物の屋根構造。
【請求項４】
前記断熱材の天面には、遮熱断熱材が配設されていることを特徴とする請求項１に記載の木造建築物の屋根構造。
【請求項５】
屋根骨格を基礎に構築される屋根構造の施工方法であって、
少なくとも一本の垂木と、該垂木と連結される少なくとも一本のころび止めと、前記垂木と前記ころび止めとで形成される空間に配設される少なくとも一個の断熱材と、該断熱材の一面側に配設される平板状の構造面材と、を少なくとも有して構成される断熱パネルを、屋根構造を構成する屋根骨格に備えられる母屋の屋外側に、前記構造面材側を前記母屋上に載置するように配設するパネル設置工程と、
前記断熱材の一端部と前記ころび止めとの間は当接しておらず留め付け空間が形成されるとともに、該留め付け空間底部には前記構造面材が露出しており、前記留め付け空間底部と前記母屋との交差点を、前記留め付け空間底部屋外側より留め付ける構造面材留め付け工程と、
前記垂木と前記母屋との交差点を、前記垂木屋外側より留め付ける垂木留め付け工程と、
前記ころび止めと、前記屋根骨格を構成する棟若しくは桁、前記母屋のいずれかとの交差点を、前記ころび止め屋外側より留め付けるころび止め留め付け工程と、
前記垂木と前記桁との交差点を、前記垂木屋外側より留め付ける端部留め付け工程と、
を行うことを特徴とする木造建築物の屋根構造施工方法。
【請求項６】
前記端部留め付け工程に次いで、前記留め付け空間に後入れ断熱材を屋外側より挿入して、前記留め付け空間を閉塞する後入れ断熱材設置工程を行うことを特徴とする請求項５に記載の木造建築物の屋根構造施工方法。
【請求項７】
前記端部留め付け工程が終了した後、前記断熱材の天面側を、遮熱断熱材で被覆する遮熱断熱材設置工程を行うことを特徴とする請求項５に記載の木造建築物の屋根構造施工方法。
【発明の詳細な説明】
【技術分野】
【０００１】
本発明は、木造建築物の屋根構造及びその施工方法に関するものであり、特に、効率良く断熱構造を構築することができる木造建築物の屋根構造及びその施工方法に関するものである。
【背景技術】
【０００２】
昨今の木造建築物においては、快適な住環境を提供することを目的として、断熱工法が提案されている。
このような工法において、木造建築物の屋根断熱の構造及び施工方法として、様々な構造及び施工方法が提案されている（例えば、特許文献１及び特許文献２参照）。
【０００３】
特許文献１には、木造建築物の外張り断熱構造が開示されている。
本技術における屋根構造では、屋根構造体を構成する野地垂木の上面側に断熱材を配置し、その断熱材の上面に屋根仕上材を配設して屋根を完成させる。
【０００４】
また、特許文献２には、木造建築物の屋根構造およびその施工法が開示されている。
本技術における屋根構造では、屋根構造体を構成するトラス上弦材の上面に樹脂発泡体（断熱材）を配置し、その樹脂発泡体（断熱材）の上面に屋根下地面材を配設する。
【先行技術文献】
【特許文献】
【０００５】
【特許文献１】特開２００９−００２０４６号公報
【特許文献２】特開２００５−１４６６４４号公報
【発明の概要】
【発明が解決しようとする課題】
【０００６】
このように、特許文献１及び特許文献２に係る技術によれば、屋根構造体の上部に別途断熱材を載置するため、断熱材の厚みの分だけ屋根も厚くなるという問題点があった。
また、断熱材を設置するという現場での施工手順が増え、作業効率が低下し、工数が多くなるという問題点もあった。
【０００７】
また、従来の技術としては、上記の他に、母屋の構造体内に断熱材を下方からの作業により設置する方法も採られることがある。
しかし、この場合、吹抜け天井部を仕上げる工程の一例として、下地桟木設置→下方から断熱材を下地桟木の上に乗せ掛ける→石膏ボードを張って塞ぐ→その後に表面仕上材を貼付、という施工手順を取るが、この作業は、全て下方から上を向きながらの作業である。
このため、特に断熱材の乗せ掛け設置作業においては、非常に非効率的であり労苦を伴う作業であった。
【０００８】
また、下地桟木は、母屋材の下に配置されるため、小屋裏の天井レベルが低くなり、室内空間が狭くなるという問題点もあった。
更に、火打ち梁を使用すると、小屋裏空間の使用が制限されるとともに、意匠性においても好ましくないという問題点があった。
【０００９】
本発明の目的は、上記各問題点を解決することにあり、母屋設置後に、上から乗せ掛けすることができ、作業性が格段に向上した木造建築物の屋根構造及びその施工方法を提供することにある。
また、本発明の他の目的は、広い小屋裏空間を確保するとともに、断熱性が格段に向上した木造建築物の屋根構造及びその施工方法を提供することにある。
【課題を解決するための手段】
【００１０】
上記課題は、請求項１に係る発明によれば、屋根骨格を基礎に構築される屋根構造であって、前記屋根骨格は、母屋を少なくとも備え、前記母屋の屋外側面には、少なくとも一個の断熱パネルが配設されており、該断熱パネルは、少なくとも一本の垂木と、該垂木と連結される少なくとも一本のころび止めと、前記垂木と前記ころび止めとで形成される空間に配設される少なくとも一個の断熱材と、を少なくとも有して構成され、前記垂木が、屋外側より前記母屋に取付けられ、前記断熱パネルの一面側には、平板状の構造面材が配設されており、前記断熱パネルは、前記構造面材が配設されている側を前記母屋側に向けて配設されるとともに、前記構造面材は、屋外側より前記母屋に留め付けられ、前記断熱材の一端部と前記ころび止めとの間は当接しておらず、留め付け空間が形成されており、該留め付け空間底部には、前記構造面材が露出しており、前記構造面材は、前記留め付け空間の底部において、屋外側より前記母屋に留め付けられていることにより解決される。
【００１１】
また、屋根骨格を基礎に構築される屋根構造の施工方法であって、少なくとも一本の垂木と、該垂木と連結される少なくとも一本のころび止めと、前記垂木と前記ころび止めとで形成される空間に配設される少なくとも一個の断熱材と、を少なくとも有して構成される断熱パネルを、屋根構造を構成する屋根骨格に備えられる母屋の屋外側に載置するパネル設置工程と、前記垂木と前記母屋との交差点を、前記垂木屋外側より留め付ける垂木留め付け工程と、前記ころび止めと、前記屋根骨格を構成する棟若しくは桁、前記母屋のいずれかとの交差点を、前記ころび止め屋外側より留め付けるころび止め留め付け工程と、前記垂木と前記桁との交差点を、前記垂木屋外側より留め付ける端部留め付け工程と、を行うと好適である。
【００１２】
このように、本発明に係る屋根構造を構築する断熱パネルは、少なくとも一本の垂木と、この垂木と連結される少なくとも一本のころび止めと、垂木ところび止めとで形成される空間に配設される少なくとも一個の断熱材と、を少なくとも有して構成されており、垂木が、屋外側より母屋に取付けられることにより、屋根の屋外側面を被覆する。
そして、本発明に係る断熱パネルは、この断熱パネルを構成する垂木及びころび止めと、屋根骨格形成部材（母屋、棟、桁等）との交差点を、垂木の屋外側より留め付けることにより、屋根骨格に取付けられる。
よって、従来のように、下方から上方を向きながらの作業が不要であり、母屋設置後に、屋根の屋外側から載せ掛け作業を行うことができる。
このため、従来よりも簡易に作業を行うことができ、作業性が格段に向上する。
【００１３】
更に、垂木、ころび止め、断熱材が一体となりパネル化されているため、設置作業が大きく効率化されることとなる。
また、母屋が室内空間に露出して住宅内から視認できるようになり、木質の母屋材の質感により、室内空間の意匠性が向上する。
更に、本発明に係る断熱パネルは、断熱材を備えているため、室内空間への熱伝導を遮断し、快適な室内環境を提供することができる。
【００１４】
また、このとき、前記断熱パネルの一面側には、平板状の構造面材が配設されており、
前記断熱パネルは、前記構造面材が配設されている側を前記母屋側に向けて配設されるとともに、前記構造面材は、前記母屋に留め付けられていると好適である。
【００１５】
具体的には、前記断熱パネルは、少なくとも一本の垂木と、該垂木と連結される少なくとも一本のころび止めと、前記垂木と前記ころび止めとで形成される空間に配設される少なくとも一個の断熱材と、を少なくとも有して構成されており、前記断熱材の一端部と前記ころび止めとの間は当接しておらず、留め付け空間が形成されており、該留め付け空間底部には、前記構造面材が露出しており、前記構造面材は、前記留め付け空間の底部において、屋外側より前記母屋に留め付けられていると好適である。
【００１６】
更に、請求項５に係る発明においては、屋根骨格を基礎に構築される屋根構造の施工方法であって、少なくとも一本の垂木と、該垂木と連結される少なくとも一本のころび止めと、前記垂木と前記ころび止めとで形成される空間に配設される少なくとも一個の断熱材と、該断熱材の一面側に配設される平板状の構造面材と、を少なくとも有して構成される断熱パネルを、屋根構造を構成する屋根骨格に備えられる母屋の屋外側に、前記構造面材側を前記母屋上に載置するように配設するパネル設置工程と、前記断熱材の一端部と前記ころび止めとの間、若しくは隣り合う２個の前記断熱材の間は当接しておらず留め付け空間が形成されるとともに、該留め付け空間底部には前記構造面材が露出しており、前記留め付け空間底部と前記母屋との交差点を、前記留め付け空間底部屋外側より留め付ける構造面材留め付け工程と、前記垂木と前記母屋との交差点を、前記垂木屋外側より留め付ける垂木留め付け工程と、前記ころび止めと、前記屋根骨格を構成する棟若しくは桁、前記母屋のいずれかとの交差点を、前記ころび止め屋外側より留め付けるころび止め留め付け工程と、前記垂木と前記桁との交差点を、前記垂木屋外側より留め付ける端部留め付け工程と、を行うことにより解決される。
【００１７】
このように、断熱パネルに構造面材が備えられていると更に好適である。
この構造面材が備えられた断熱パネルは、特に、小屋裏吹抜け部屋根に好適に使用することができる。
一般的に、木造建築の棟部は、耐力上の問題から軒桁と妻梁との直交部を火打ち梁（斜め材）で補強しなければならない。
しかし、火打ち梁があると、小屋裏空間の利用に制約が生じる。
また、吹抜け天井等を形成する場合、火打ち梁が見えると、室内の意匠性が低下する。
このため、火打ち梁の代わりに、構造面材を断熱パネルに組み込むことにより、十分な耐力を持たせるとともに意匠性をもまた向上させることができる。
つまり、構造面材が備えられているため、広い小屋裏空間を形成できるとともに、高い意匠性をもまた確保することができる。
【００１８】
更に、この構造面材の室内側面（断熱材が配設されている側と反対側の面）は、室内側に面することとなる。
よって、この構造面材として仕上げ用の面材を使用すれば、仕上げ作業が不要となる。
つまり、断熱パネルを設置するのみで仕上げ作業も終了することとなり、作業性が大きく向上する。
また、仕上げを行うために設置する下地桟木は、母屋材の下に配置されるため、小屋裏の天井レベルが低くなり、室内空間が狭くなるという問題点があるが、構造面材を使用することにより、下地桟木が不要となり、この問題もまた同時に解消される。
【００１９】
更に、断熱材の一端部ところび止めとの間は当接しておらず、留め付け空間が形成されており、この留め付け空間底部には、構造面材が露出するように構成されている。
このため、構造面材は、この留め付け空間の底部において、屋外側より母屋に留め付けることができる。
よって、本発明に係る断熱パネルにおける構造面材は、屋外側より簡易に留め付けることができる。
このように、高い作業性を確保することもまた可能となる。
【００２０】
また、このとき、前記構造面材が前記母屋に留め付けられた状態で、前記留め付け空間は、後入れ断熱材が挿入されて閉塞されていると好適である。
更に、前記端部留め付け工程に次いで、前記留め付け空間に後入れ断熱材を屋外側より挿入して、前記留め付け空間を閉塞する後入れ断熱材設置工程を行うよう構成されていると好適である。
【００２１】
このように構成されているため、断熱材が配設されない部分がなくなり、高い断熱性を確保することができる。
また、この後入れ断熱材は、屋外側より設置することが可能であるため、高い作業性もまた確保することができる。
【００２２】
更に、このとき、前記垂木の表裏面方向の距離は前記断熱材の厚さよりも大きくなるよう構成されるとともに、前記ころび止めの表裏面方向の距離は前記断熱材の厚さよりも小さくなるように構成されており、前記断熱パネルを構成する各部材は、裏面側に面一に揃えられており、前記垂木の天面にルーフィング部材を配設した際、前記断熱材の天面側と、前記垂木の屋外側の突出部分とで囲まれた空間が、通気空間となるよう構成されていると好適である。
【００２３】
一般的に屋根断熱機能は、熱の伝導と放射を抑えることにより実現される。
本発明においては、屋根断熱機能を実現するために、屋根材の下に通気空間を備えた。
本発明において、空気は、通気空間を通って流れる。
このため、この通気空間を通過する空気が熱を排出する。
このように、本発明においては、屋根断熱機能を備え、快適な住空間を提供することができる。
【００２４】
また、このとき、前記断熱材の天面には、遮熱断熱材が配設されていると好適である。
更に、前記端部留め付け工程が終了した後、前記断熱材の天面側を、遮熱断熱材で被覆する遮熱断熱材設置工程を行うよう構成されていると好適である。
【００２５】
このように構成されているため、本発明においては、遮熱断熱材が太陽の日射熱を反射するとともに、断熱材により、太陽の日射熱が小屋裏に伝導することを防止することができる。
よって、快適な小屋裏空間を実現することができる。
また、遮熱断熱材は、屋外より設置することが可能であるため、高い作業性もまた確保することができる。
なお、この遮熱断熱材の形状は特に限定されないが、例えば、シート状若しくはボード状等の遮熱断熱材が使用される。
【発明の効果】
【００２６】
本発明に係る屋根構造を構築する断熱パネルは、この断熱パネルを構成する垂木及びころび止めと、屋根骨格形成部材（母屋、棟、桁等）との交差点を、垂木の屋外側より留め付けることにより、屋根骨格に取付けられる。
よって、従来のように、母屋設置後に、屋根の屋外側から載せ掛け作業を行うことができ、このため、従来よりも簡易に作業を行うことが可能となり、屋根構造を構築する際の作業性が格段に向上する。
また、母屋が室内空間に露出して住宅内から視認できるようになり、木質の母屋材の質感により、室内空間の意匠性が向上する。
更に、垂木、ころび止め、断熱材が一体となりパネル化されているため、設置作業が大きく効率化されることとなる。
【００２７】
また、断熱パネルに構造面材が備えられているものは、特に、小屋裏吹抜け部屋根に好適に使用することができ、このため、広い小屋裏空間を形成できるとともに、高い意匠性をもまた確保することができる。
つまり、耐力上設置される火打ち梁が不要となり、小屋裏空間の利用に制約が生じることがなくなり、その分広い小屋裏空間を確保することができる。
また、吹抜け天井等を形成する場合、火打ち梁の代わりに、構造面材を断熱パネルに組み込むことにより、十分な耐力を持たせることができ、意匠性をもまた向上させることができる。
【００２８】
更に、断熱材の一端部ところび止めとの間、若しくは隣り合う２個の断熱材の間は当接しておらず、留め付け空間が形成されており、この留め付け空間底部には、構造面材が露出するように構成されているので、構造面材は、この留め付け空間の底部において、屋外側より母屋に留め付けることができる。
よって、本発明に係る断熱パネルにおける構造面材は、屋外側より簡易に留め付けることができる。
【００２９】
また、この構造面材として仕上げ用の面材を使用すれば、仕上げ作業が不要となる。
つまり、断熱パネルを設置するのみで仕上げ作業も終了することとなり、作業性が大きく向上する。
更に、仕上げを行うために設置する下地桟木が不要となり、小屋裏の天井レベルが低くなり、室内空間が狭くなるという問題もまた同時に解消される。
【００３０】
また、断熱に関しては、本発明に係る断熱パネルは、断熱材を備えているため、室内空間への熱伝導を遮断し、快適な室内環境を提供することができる。
更に、構造面材が母屋に留め付けられた状態で、留め付け空間は、後入れ断熱材が挿入されて閉塞されるよう構成されている。
このように構成されているため、断熱材が配設されない部分がなくなり、高い断熱性を確保することができる。
なお、この後入れ断熱材は、屋外側より設置することが可能であるため、高い作業性もまた確保することができる。
【００３１】
これに加え、本発明においては、断熱材の天面に遮熱断熱材が配設されている。
このように構成されているため、遮熱断熱材が太陽の日射熱を反射し、太陽の日射熱が小屋裏に伝導することを防止することができる。なお、遮熱断熱材は、屋外より設置することが可能であるため、高い作業性もまた確保することができる。
このように、確実な断熱機能を発揮することができ、快適な小屋裏空間を実現することができる。
【００３２】
また、本発明においては、屋根断熱機能を実現するために、屋根材の下に通気空間を備えた。
本発明において、空気は通気空間を通って流れることとなり、この通気空間を通過する空気が熱を排出する。
このように、本発明においては、屋根断熱機能を備え、快適な住空間を提供することができる。
【００３３】
以上のように、本発明によれば、母屋設置後に、上から乗せ掛けすることができ、作業性が格段に向上する。
また、広い小屋裏空間を確保するとともに、断熱性が格段に向上する。
更に、意匠性もまた向上する。
【図面の簡単な説明】
【００３４】
【図１】本発明の一実施形態に係る家屋を示す断面説明図である。
【図２】本発明の一実施形態に係る屋根構造の斜視説明図である。
【図３】本発明の一実施形態に係る屋根部分の分解凡例図である。
【図４】本発明の一実施形態に係る構造面材を備えた断熱パネル（棟部設置）の４面図である。
【図５】本発明の一実施形態に係る構造面材を備えた断熱パネル（中間部設置）の４面図である。
【図６】本発明の一実施形態に係る構造面材を備えた断熱パネル（軒先部設置）の４面図である。
【図７】本発明の一実施形態に係る屋根部分の分解凡例図である。
【図８】本発明の一実施形態に係る構造面材を備えない断熱パネル（棟部設置）の３面図である。
【図９】本発明の一実施形態に係る構造面材を備えない断熱パネル（軒先部設置）の３面図である。
【図１０】本発明の一実施形態に係る構造面材を備えた断熱パネル設置工程を示す工程図である。
【図１１】本発明の一実施形態に係る構造面材を備えた断熱パネルの設置工程を示す説明図である。
【図１２】本発明の一実施形態に係る構造面材を備えない断熱パネル設置工程を示す工程図である。
【図１３】本発明の一実施形態に係る構造面材を備えない断熱パネルの設置工程を示す説明図である。
【図１４】本発明の一実施形態に係る通気空間と断熱機能を示す説明図である。
【発明を実施するための形態】
【００３５】
以下、本発明の一実施形態を図面に基づいて説明する。
なお、以下に説明する構成は本発明を限定するものでなく、本発明の趣旨の範囲内で種々改変することができるものである。
本実施形態は、母屋設置後に、上から乗せ掛けすることができ、作業性が格段に向上した木造建築物の屋根構造及びその施工方法に関するものである。
【００３６】
図１乃至図１４は、本発明に係る一実施形態を示すものであり、図１は家屋を示す断面説明図、図２は屋根構造の斜視説明図、図３は屋根部分の分解凡例図、図４は構造面材を備えた断熱パネル（棟部設置）の４面図、図５は構造面材を備えた断熱パネル（中間部設置）の４面図、図６は構造面材を備えた断熱パネル（軒先部設置）の４面図、図７は屋根部分の分解凡例図、図８は構造面材を備えない断熱パネル（棟部設置）の３面図、図９は構造面材を備えない断熱パネル（軒先部設置）の３面図、図１０は構造面材を備えた断熱パネル設置工程を示す工程図、図１１は構造面材を備えた断熱パネルの設置工程を示す説明図、図１２は構造面材を備えない断熱パネル設置工程を示す工程図、図１３は構造面材を備えない断熱パネルの設置工程を示す説明図、図１４は通気空間と断熱機能を示す説明図である。
【００３７】
まず、図１及び図２により、本実施形態に係る屋根構造Ｓについて説明する。
本実施形態に係る屋根構造Ｓは、屋根骨格１、断熱パネル２を有して構成されている。
本実施形態に係る屋根骨格１は、トラス骨格１１と、屋根支持骨格１２とを有して構成されている。
トラス骨格１１は、棟束１１ａと、この棟束１１ａを中心にこれに平行に立設する複数の小屋束１１ｂ（棟束１１ａと離隔するにつれて短くなり、棟束１１ａを中心にシンメトリーに配設される）と、これら小屋束１１ｂの上端部を架橋するように配設されるけらばパネル受木１１ｃと、棟束１１ａ及び複数の小屋束１１ｂの下端部を受けて固定する梁１１ｄにより略二等辺三角形状に形成されている。
【００３８】
また、屋根支持骨格１２は、相対向するように平行に配設された棟束１１ａの天端間を架橋するように配設される棟１２ａと、同様に、相対向するように平行に配設された複数の小屋束１１ｂの天端間を架橋するように配設される複数の母屋１２ｂ、相対向するように平行に配設された梁１１ｄ間を架橋するように配設される桁１２ｃを備えて構成される。
このように、棟束１１ａ、小屋束１１ｂ、けらばパネル受木１１ｃ、梁１１ｄにより構成された２枚のトラス骨格１１と、棟１２ａ、母屋１２ｂ、桁１２ｃとで構成された屋根支持骨格１２を組合わせることによって、屋根骨格１が形成されている。
【００３９】
次いで、本実施形態に係る断熱パネル２を説明する。
なお、
本実施形態においては、２種類の断熱パネル２を説明する。
つまり、構造面材１２４を備える第１断熱パネル２１と、構造面材１２４が備えられない第２断熱パネル２２とを説明する。
構造面材１２４を備える第１断熱パネル２１は、主として、小屋裏吹抜け部屋根に使用され、構造面材１２４を備えない第２断熱パネル２２は、主として下屋部屋根に使用される。
【００４０】
通常、木造住宅の棟部は、耐力上の問題から桁と梁との直交部を火打ち梁（斜め材）で補強しなければならない。
しかし、火打ち梁があると、小屋裏空間の利用に制約が生じる。
また、吹抜け天井等を形成する場合、火打ち梁が見えると、室内の意匠性が低下する。
このため、火打ち梁の代わりに、構造面材１２４を第１断熱パネル２１に組み込むことにより、十分な耐力を持たせるとともに意匠性をもまた向上させることとした。
【００４１】
なお、断熱パネル２は、通常、工場で組み立てられて現場へと出荷されるが、これに限られることはなく、現場で組み立てられてもよい。
どちらの形態であっても、屋根組み上げ作業に先立って断熱パネル２を作成することができ、作業性が大きく向上することは同様である。
【００４２】
図３乃至図６により、第１断熱パネル２１の構造を説明する。
図３は、屋根部分の分解凡例図である。
図３のＡ部分は棟部、図３のＢ部分は中間部、図３のＣ部分は軒先部を示す。
なお、本実施形態における例は、発明を実施するための一例であり、本発明を限定するものではない。例えば、屋根の骨格や仕様・デザイン等は、本発明の趣旨を逸脱しない範囲で、適宜変更することができる。
【００４３】
図４に、図３のＡ部分（棟部）に使用される棟部第１断熱パネル２１Ａの４面図を示す。
本実施形態に係る棟部第１断熱パネル２１Ａは、３本の垂木１２１、４個のころび止め１２２、２個の断熱材１２３、構造面材１２４を有して構成されている。
【００４４】
垂木１２１は、長尺の木質板状部材であり、本実施形態においては、等間隔及び略平行に配設される。
そして、隣接する垂木１２１，１２１間の両端部には、これらを架橋するようにころび止め１２２が、垂木１２１，１２１に対して略垂直となるように配設されている。
【００４５】
このように、３本の垂木１２１及び４個のころび止め１２２によって、フレーム状の枠体Ｗ１が構成される。
なお、この枠体Ｗ１には、２個の垂木１２１，１２１及び２個のころび止め１２２，１２２とで構成される空間が２個形成されるが、以下、この空間を「断熱材配設空間Ｋ１」と記す。
【００４６】
この断熱材配設空間Ｋ１，Ｋ１には、断熱材１２３，１２３が各々配設される。
本実施形態においては、断熱材１２３は、公知のポリスチレンフォームが使用されている。
ただし、これに限られることはなく、ウレタン樹脂等、どのような形態のものが使用されていてもよい。
この断熱材１２３の長手方向の長さは、相対向するころび止め１２２，１２２間の距離（つまり、断熱材配設空間Ｋ１の長手方向の長さ）よりも若干小さくなるように構成されている。
【００４７】
このため、断熱材１２３の長手方向一端部を一方のころび止め１２２に当接させて配設すると、対向する他方のころび止め１２２側に、空間が形成される。つまり、断熱材１２３の長手方向他端部と対向する他方のころび止め１２２との間に空間が形成されることとなる。
この空間を以下「留め付け空間Ｋ１ａ」と記す。
【００４８】
また、断熱材１２３の厚さは、垂木１２１の厚さよりも小さくなるように構成されている。更に、ころび止めの厚さは、断熱材１２３の厚さよりも小さくなるように（若しくは同程度）に構成されている。
なお、ここに言う「厚さ」とは、第１断熱パネル２１Ａの表裏面方向の距離を指す。
【００４９】
このように構成されているため、構造面材１２４上に各部材の底面を揃えると、垂木１２１，１２１間に空間が生じる（つまり、断熱材１２３の天面上部に空間が生じる）。
よって、垂木１２１，１２１天面に野地合板等の屋根材を配設した時に、この野地合板等の屋根材下面と断熱材１２３天面との間に空間が生じ、この空間が「通気空間Ｍ」となる。
【００５０】
本実施形態においては、留め付け空間Ｋ１ａ，Ｋ１ａを同じ方向側（他方のころび止め側）に形成するが、これに限られることはなく、断熱材１２３のサイズ・形状、配設位置等を変更して断熱材配設空間Ｋ１内の適宜位置に形成することができる。
留め付け空間Ｋ１ａは、断熱材１２３が配設されている側から、後述する構造面材１２４を留め付けるために使用され、留め付け後には、後入れ断熱材１２５で閉塞される。
【００５１】
本実施形態に係る構造面材１２４は、略矩形状の合板であり、枠体Ｗ１の横幅とほぼ同一の横幅と、枠体Ｗ１の縦幅より若干小さい縦幅を有し、２個の断熱材配設空間Ｋ１，Ｋ１を閉塞できる程度の面積を有するよう構成されている。
【００５２】
また、構造面材１２４は、３本の垂木１２１及び４個のころび止め１２２で構成される枠体Ｗ１の一面側を閉塞するように（断熱材配設空間Ｋ１，Ｋ１の一面側を閉塞するように）配設され、垂木１２１及びころび止め１２２に留め付けられる。
【００５３】
次いで、図５により、中間部第１断熱パネル２１Ｂの構成を説明する。
なお、上記、棟部第１断熱パネル２１Ａと同様の構成は同符号を付し、説明を簡略化する。
図５は、図３のＢ部分（中間部）に使用される中間部第１断熱パネル２１Ｂの４面図を示す。
【００５４】
本実施形態に係る中間部第１断熱パネル２１Ｂは、３本の垂木１２１、２個のころび止め１２２、４個の断熱材１２３、構造面材１２４を有して構成されている。
垂木１２１は、長尺の木質板状部材であり、本実施形態においては、等間隔及び略平行に配設される。
【００５５】
そして、隣接する垂木１２１，１２１間の一端部には、これらを架橋するようにころび止め１２２が、垂木１２１，１２１に対して略垂直となるように配設されている。
このように、３本の垂木１２１及び２個のころび止め１２２によって、フレーム状の枠体Ｗ１（一辺が欠けた枠状体として形成される）が構成される。
なお、この枠体Ｗ１には、２個の垂木１２１、１２１及び１個のころび止め１２２とで構成される空間が２個形成されるが、以下、この空間を「断熱材配設空間Ｋ１」と記す。
【００５６】
この断熱材配設空間Ｋ１，Ｋ１には、４個の断熱材１２３が各々配設される。
本実施形態においては、断熱材１２３は、公知のポリスチレンフォームが使用されている。
ただし、これに限られることはなく、ウレタン樹脂等、どのような形態のものが使用されていてもよい。
この断熱材１２３の幅は、隣接する垂木１２１，１２１間の距離とほぼ同一となるように構成されており、断熱材１２３の長手方向の長さの２倍は、枠体Ｗ１の長手方向の長さよりも小さくなるように構成されている。
【００５７】
このため、一個の断熱材配設空間Ｋ１に断熱材１２３，１２３を縦列させたとき、断熱材１２３，１２３間及び一方の断熱材１２３の長手方向一端部ところび止め１２２との間に空間が各々形成することができる。
これらの空間を以下「留め付け空間Ｋ１ａ」と記す。本実施形態においては、この留め付け空間Ｋ１ａは４個形成される。
【００５８】
また、本実施形態においては、この４個の留め付け空間Ｋ１ａ，Ｋ１ａを上記の位置に形成するが、これに限られることはなく、断熱材１２３のサイズ・形状、配設位置等を変更して断熱材配設空間Ｋ１内の適宜位置に適宜個数形成することができる。
この留め付け空間Ｋ１ａの機能は、上記棟部第１断熱パネル２１Ａと同様である。
また、通気空間Ｍに関しても、上記棟部第１断熱パネル２１Ａと同様である。
【００５９】
本実施形態に係る構造面材１２４は、略矩形状の合板であり、枠体Ｗ１の横幅とほぼ同一の横幅と、枠体Ｗ１の縦幅とほぼ同一の縦幅を有し、２個の断熱材配設空間Ｋ１，Ｋ１を閉塞できる程度の面積を有するよう構成されている。
【００６０】
また、構造面材１２４は、３本の垂木１２１及び２個のころび止め１２２で構成される枠体Ｗ１の一面側を閉塞するように（断熱材配設空間Ｋ１，Ｋ１の一面側を閉塞するように）配設され、垂木１２１及びころび止め１２２に留め付けられる。
このとき、ころび止め１２２は、構造面材１２４に被覆されないよう構成されている。
【００６１】
次いで、図６により、軒先部第１断熱パネル２１Ｃの構成を説明する。
なお、上記、棟部第１断熱パネル２１Ａ及び中間部第１断熱パネル２３Ｂと同様の構成は同符号を付し、説明を簡略化する。
図６は、図３のＣ部分（軒先部）に使用される軒先部第１断熱パネル２１Ｃの４面図を示す。
【００６２】
本実施形態に係る軒先部第１断熱パネル２１Ｃは、３本の垂木１２１、２個のころび止め１２２、４個の断熱材１２３、構造面材１２４を有して構成されている。
垂木１２１は、長尺の木質板状部材であり、本実施形態においては、等間隔及び略平行に配設される。
そして、隣接する垂木１２１，１２１間の一端部側には、これらを架橋するようにころび止め１２２が、垂木１２１，１２１に対して略垂直となるように配設されている。
【００６３】
なお、軒先部第１断熱パネル２１Ｃでは、垂木１２１は、中間部第１断熱パネル２１Ｂより十分長く構成されており、ころび止め１２２が配設される部分から端部に向けて一定の長さ分延出するように構成されている。
この延出部分１２１ａは、家屋の軒部分を構成する骨格となる。
【００６４】
また、３本の垂木１２１及び２個のころび止め１２２によって、フレーム状の枠体Ｗ１（一辺が欠けた枠状体として形成される）が構成される。
なお、この枠体Ｗ１には、２個の垂木１２１、１２１及び１個のころび止め１２２とで構成される空間が２個形成されるが、以下、この空間を「断熱材配設空間Ｋ１」と記す。
この断熱材配設空間Ｋ１，Ｋ１には、４個の断熱材１２３が各々配設される。
本実施形態においては、断熱材１２３は、公知のポリスチレンフォームが使用されている。
ただし、これに限られることはなく、ウレタン樹脂等、どのような形態のものが使用されていてもよい。
【００６５】
この断熱材１２３の幅は、隣接する垂木１２１，１２１間の距離とほぼ同一となるように構成されており、断熱材１２３の長手方向の長さの２倍は、枠体Ｗ１の長手方向の長さよりも小さくなるように構成されている。
【００６６】
このため、一個の断熱材配設空間Ｋ１に断熱材１２３，１２３を縦列させたとき、断熱材１２３，１２３間及び一方の断熱材１２３の長手方向一端部ところび止め１２２との間に空間が各々形成することができる。
これらの空間を以下「留め付け空間Ｋ１ａ」と記す。本実施形態においては、この留め付け空間Ｋ１ａは４個形成される。
【００６７】
また、本実施形態においては、この４個の留め付け空間Ｋ１ａ，Ｋ１ａを上記の位置に形成するが、これに限られることはなく、断熱材１２３のサイズ・形状、配設位置等を変更して断熱材配設空間Ｋ１内の適宜位置に適宜個数形成することができる。
この留め付け空間Ｋ１ａの機能は、上記棟部第１断熱パネル２１Ａ及び中間部第１断熱パネル２１Ｂと同様である。
また、通気空間Ｍに関しても、上記棟部第１断熱パネル２１Ａ及び中間部第１断熱パネル２１Ｂと同様である。
【００６８】
本実施形態に係る構造面材１２４は、略矩形状の合板であり、枠体Ｗ１の横幅とほぼ同一の横幅と、枠体Ｗ１の縦幅とほぼ同一の縦幅を有し、２個の断熱材配設空間Ｋ１，Ｋ１を閉塞できる程度の面積を有するよう構成されている。
【００６９】
また、構造面材１２４は、３本の垂木１２１及び２個のころび止め１２２で構成される枠体Ｗ１の一面側を閉塞するように（断熱材配設空間Ｋ１，Ｋ１の一面側を閉塞するように）配設され、垂木１２１及びころび止め１２２に留め付けられる。
このとき、ころび止め１２２は、構造面材１２４に被覆されないよう構成されている。
また、垂木１２１の延出部分１２１ａは、構造面材１２４に被覆されることなく突出している。
【００７０】
次いで、図７乃至図９により、第２断熱パネル２２の構造を説明する。
図７は、屋根部分の分解凡例図である。
図７のＤ部分は棟部、図７のＥ部分は軒先部を示す。
なお、前述の通り、本実施形態における例は、発明を実施するための一例であり、本発明を限定するものではない。例えば、屋根の骨格や仕様・デザイン等は、本発明の趣旨を逸脱しない範囲で、適宜変更することができる。
【００７１】
図８に、図７のＤ部分（棟部）に使用される棟部第２断熱パネル２２Ａの３面図を示す。
本実施形態に係る棟部第２断熱パネル２２Ａは、１本の垂木２２１、２個のころび止め２２２、１個の断熱材２２３を有して構成されている。
【００７２】
垂木２２１は、長尺の木質板状部材である。
そして、垂木２２１間の両端部には、ころび止め２２２が、垂木２２１に対して同方向略垂直となるように配設されている。
【００７３】
このように、垂木２２１及び２個のころび止め２２２によって、フレーム状の枠体Ｗ２（一辺が欠けた枠状体として形成される）が構成される。
なお、この枠体Ｗ２には、１個の垂木２２１及び２個のころび止め２２２，２２２とで構成される空間が１個形成されるが、以下、この空間を「断熱材配設空間Ｋ２」と記す。
【００７４】
この断熱材配設空間Ｋ２には、断熱材２２３が配設される。
本実施形態においては、断熱材２２３は、公知のポリスチレンフォームが使用されている。
ただし、これに限られることはなく、ウレタン樹脂等、どのような形態のものが使用されていてもよい。
この断熱材２２３は、枠体Ｗ２の内径サイズとほぼ同サイズとなるように構成されており、この断熱材配設空間Ｋ２に納められる。
なお、通気空間Ｍに関しては、上記第１断熱パネル２１の棟部第１断熱パネル２１Ａに関する説明と同様である。
【００７５】
図９に、図７のＥ部分（軒先部）に使用される軒先部第２断熱パネル２２Ｂの３面図を示す。
本実施形態に係る軒先部第２断熱パネル２２Ｂは、１本の垂木２２１、２個のころび止め２２２、１個の断熱材２２３を有して構成されている。
【００７６】
垂木２２１は、長尺の木質板状部材である。
そして、垂木２２１間の両端部には、ころび止め２２２が、垂木２２１に対して同方向略垂直となるように配設されている。
【００７７】
なお、軒先部第２断熱パネル２２Ｂでは、垂木２２１は、棟部第２断熱パネル２２Ａより十分長く構成されており、ころび止め２２２が配設される部分から一端部に向けて一定の長さ分延出するように構成されている。
この延出部分２２１ａは、家屋の軒部分を構成する骨格となる。
【００７８】
このように、垂木２２１及び２個のころび止め２２２によって、フレーム状の枠体Ｗ２（一辺が欠けた枠状体として形成される）が構成される。
なお、この枠体Ｗ２には、１個の垂木２２１及び２個のころび止め２２２，２２２とで構成される空間が１個形成されるが、以下、この空間を「断熱材配設空間Ｋ２」と記す。
【００７９】
この断熱材配設空間Ｋ２には、断熱材２２３が配設される。
本実施形態においては、断熱材２２３は、公知のポリスチレンフォームが使用されている。
ただし、これに限られることはなく、ウレタン樹脂等、どのような形態のものが使用されていてもよい。
この断熱材２２３は、枠体Ｗ２の内径サイズとほぼ同サイズとなるように構成されており、この断熱材配設空間Ｋ２に納められる。
なお、通気空間Ｍに関しては、上記第１断熱パネル２１の軒先部第１断熱パネル２１Ｃに関する説明と同様である。
【００８０】
次いで、図１０及び図１１により、第１断熱パネル２１による屋根の施工方法を説明する。
まず、工程１で、軒桁調整合板Ｇを桁１２ｃの屋外側端部に留め付けて調整を行う。
この際、けらばパネルＦを取付けておく。
次いで、工程２で第１断熱パネル２１を屋根骨格１の母屋１２ｂ上面（屋外側面）に載置する。
このとき、第１断熱パネル２１は、構造面材１２４側が母屋１２ｂに載置されるように（つまり、断熱材１２３が露出する面を上面（屋外側）に向けて）配設される。
また、第１断熱パネル２１は、軒側から順に一枚ずつ施工するとよい。
【００８１】
次いで、工程３で構造面材１２４を釘留めする。
これは、断熱材１２３，１２３間及び一方の断熱材１２３の長手方向一端部ところび止め１２２との間形成される留め付け空間Ｋ１ａから釘を打ち込み、構造面材１２４を母屋１２ｂに留め付ける。
このように、本実施形態においては、第１断熱パネル２１を、屋外側より留め付けることが可能である。
よって、屋内側より、下方から上を向きながらの作業を行う必要がなく、このため、特に断熱材１２３の乗せ掛け設置作業における作業性を向上させることができる。
【００８２】
次いで、工程４で、垂木１２１を釘留めする。
この工程では、垂木１２１を母屋１２ｂに釘留めする。
次いで、工程５で、ころび止め１２２を螺子留めする。
【００８３】
次いで、工程６で、桁１２ｃと垂木１２１を留め付ける。
これは、桁１２ｃ上に交差している垂木１２１部分を、桁１２ｃに留め付ける作業である。
このように、第１断熱パネル２１が屋根骨格１上面(屋外側)に取付けられたら、工程７で後入れ断熱材１２５を設置する。
これは、留め付け空間Ｋ１ａ部分に、後入れ断熱材１２５を配設して、この留め付け空間Ｋ１ａ部分を閉塞する作業である。
この作業により、隙間なく屋根部分の断熱を行うことができる。
【００８４】
次いで、工程８で、遮熱断熱材Ｈを設置する。
本実施形態においては、遮熱断熱材Ｈは、プレカットされた一面がアルミニウムコーティングされた遮熱シートを使用した。
しかし、この遮熱断熱材Ｈは、シート状に限られることはなく、ボード状等、どのような形状のものが使用されてもよい。
遮熱断熱材Ｈは、断熱材１２３の天面（屋外側）部分を全て被覆するように枠体Ｗ１に囲まれた部分に配設される。
そして、最後に、工程９で、野地合板を貼付するとともに、ルーフィング施工を行い、屋根を完成させる。
【００８５】
なお、この構造面材１２４の室内側面（断熱材１２３が配設されている側と反対側の面）は、室内側に面することとなる。
よって、この構造面材１２４として仕上げ用の面材を使用すれば、室内側の仕上げ作業が不要となる。
つまり、第１断熱パネル２１を設置するのみで仕上げ作業も終了することとなり、作業性が大きく向上する。
【００８６】
また、仕上げを行うために設置する下地桟木は、母屋材の下に配置されるため、小屋裏の天井レベルが低くなり、室内空間が狭くなるという問題点があるが、構造面材１２４を使用することにより、下地桟木が不要となり、この問題もまた同時に解消される。
【００８７】
更に、本実施形態に係る第１断熱パネル２１は、垂木１２１、ころび止め１２２、断熱材１２３、構造面材１２４が一体となりパネル化されているため、設置作業が大きく効率化されることとなる。
【００８８】
次いで、図１２及び図１３により、第２断熱パネル２２による屋根の施工方法を説明する。
まず、工程１で、けらばパネルＦを取付ける。
次いで、工程２で、先行垂木Ｊを留め付ける。
この先行垂木Ｊは、けらばパネルＦ側に母屋１２ｂと直交するように、母屋１２ｂ上面（屋外側）に留め付けられる。
【００８９】
次いで、工程３で第２断熱パネル２２を屋根骨格１の母屋１２ｂ上面(屋外側)に載置する。
このとき、枠体Ｗ２の欠けた一辺側（つまり、断熱材２２３の垂木２２１が配設される側の長辺と対向する長辺側）が、先行垂木Ｊに接するように第２断熱パネル２２を配置する。
よって、断熱材２２３は、先行垂木Ｊと第２断熱パネル２２を構成する垂木２２１とに挟持された状態となる。
なお、次に配置される第２断熱パネル２２は、先行垂木Ｊの代わりに、先に設置されている第２断熱パネル２２の垂木２２１と、自己の垂木２２１とにより断熱材２２３を挟持する。
このように、垂木２２１を共有させながら、第２断熱パネル２２を並列させて取付けることとなる。
また、第２断熱パネル２２は、軒側から順に一枚ずつ施工するとよい。
【００９０】
次いで、工程４で、垂木２２１を釘留めする。
この工程では、垂木２２１を母屋１２ｂに釘留めする。
次いで、工程５で、ころび止め２２２を螺子留めする。
【００９１】
次いで、工程６で、桁１２ｃと垂木２２１を留め付ける。
これは、桁１２ｃ上に交差している垂木２２１部分を、桁１２ｃに留め付ける作業である。
このように、第２断熱パネル２２が屋根骨格１上面（屋外側）に取付けられたら、工程７で遮熱断熱材Ｈを設置する。
本実施形態においては、遮熱断熱材Ｈは、プレカットされた一面がアルミニウムコーティングされた遮熱シートを使用した。
しかし、この遮熱断熱材Ｈは、シート状に限られることはなく、ボード状等、どのような形状のものが使用されてもよい。
遮熱断熱材Ｈは、断熱材２２３の天面（屋外側）部分を全て被覆するように枠体Ｗ２に囲まれた部分に配設される。
【００９２】
そして、最後に、工程８で、野地合板を貼付するとともに、ルーフィング施工を行い、屋根を完成させる。
なお、本実施形態に係る第２断熱パネル２２は、垂木２２１、ころび止め２２２、断熱材２２３が一体となりパネル化されているため、設置作業が大きく効率化されることとなる。
【００９３】
図１４により、当該屋根を使用した住宅の屋根断熱機能を説明する。
本実施形態に係る屋根断熱機能は、熱の伝導と放射を抑えることにより実現される。
本実施形態に係る屋根断熱機能を実現するために、屋根材の下には通気層がを備えられる。
つまり、上記通気空間Ｍが形成されている。
矢印Ｘに示すように、空気は、通気空間Ｍを通って流れる。
このため、この通気空間Ｍを通過する空気が熱を排出する。
また、矢印Ｙに示すように遮熱断熱材Ｈが太陽の日射熱を反射するとともに、断熱材１２３，２２３により、太陽の日射熱が小屋裏に伝導することを防止する。
よって、快適な小屋裏空間を実現することができる。
【００９４】
以上のように、本実施形態に係る屋根構造Ｓによれば、母屋設置後に、上から断熱パネル２を乗せ掛けすることができ、作業性を格段に向上させることができる。
また、構造面材１２４の採用により、火打ち梁が不要となり、広い小屋裏空間を確保するとともに、断熱性が格段に向上する。
更に、火打ち梁が不要となるため、小屋裏空間の意匠性もまた向上する。
また、屋根断熱機能を備え、快適な住空間を提供することができる。
【符号の説明】
【００９５】
１  屋根骨格
１１  トラス骨格
１１ａ  棟束
１１ｂ  小屋束
１１ｃ  けらばパネル受木
１１ｄ  梁
１２  屋根支持骨格
１２ａ  棟
１２ｂ  母屋
１２ｃ  桁
２  断熱パネル
２１  第１断熱パネル
２１Ａ  棟部第１断熱パネル
２１Ｂ  中間部第１断熱パネル
２１Ｃ  軒先部第１断熱パネル
１２１，２２１  垂木
１２１ａ，２２１ａ  延出部分
１２２，２２２  ころび止め
１２３，２２３  断熱材
１２４  構造面材
１２５  後入れ断熱材
２２  第２断熱パネル
２２Ａ  棟部第２断熱パネル
２２Ｂ  軒先部第２断熱パネル
Ｆ  けらばパネル
Ｇ  軒桁調整合板
Ｈ  遮熱断熱材
Ｊ  先行垂木
Ｋ１，Ｋ２  断熱材配設空間
Ｋ１ａ  留め付け空間
Ｍ  通気空間
Ｓ  屋根構造
Ｗ１，Ｗ２  枠体
【図１】
0005455496.tif 000002
【図２】
0005455496.tif 000003
【図３】
0005455496.tif 000004
【図４】
0005455496.tif 000005
【図５】
0005455496.tif 000006
【図６】
0005455496.tif 000007
【図７】
0005455496.tif 000008
【図８】
0005455496.tif 000009
【図９】
0005455496.tif 000010
【図１０】
0005455496.tif 000011
【図１１】
0005455496.tif 000012
【図１２】
0005455496.tif 000013
【図１３】
0005455496.tif 000014
【図１４】
0005455496.tif 000015